(57)【要約】【課題】表示素子の故障による表示品質の低下を抑止する。【解決手段】映像制御装置２０は、第１の表示ユニット１１ａと、第２の表示ユニット１１ｂとが交互に配置される表示部１１に、第１の表示ユニット１１ａと第２の表示ユニット１１ｂとを制御して映像を表示する表示装置１０から、第１の表示ユニット１１ａと第２の表示ユニット１１ｂとを構成する表示素子１１ｃの故障状況を示す故障状況情報を取得し、取得した故障状況情報に基づいて、第１の表示ユニット１１ａと第２の表示ユニット１１ｂとのうちから表示装置１０が映像の表示に利用する表示ユニットを決定し、表示装置１０に通知する。【選択図】図１
2017062377.tif 000002
【特許請求の範囲】
【請求項１】
ライン状に表示素子が配置された第１の表示ユニットと、ライン状に表示素子が配置された第２の表示ユニットとが交互に配置される表示部と、
前記第１の表示ユニットと前記第２の表示ユニットとを制御して、前記表示部に映像を表示する表示制御部と、を備える表示装置と、
前記第１の表示ユニットと前記第２の表示ユニットを構成する表示素子の故障状況を示す故障状況情報を前記表示装置から取得する取得部と、
前記取得部が取得した前記故障状況情報に基づいて、前記第１の表示ユニットと前記第２の表示ユニットとのうちから前記表示制御部が映像の表示に利用する表示ユニットを決定する決定部と、
前記決定部の決定を前記表示制御部に通知する通知部と、を備える映像制御装置と、
を含んで構成される表示システム。
【請求項２】
前記表示部は、前記第１の表示ユニットと前記第２の表示ユニットとが交互に配置された１以上の表示領域で構成されており、
前記取得部は、前記表示領域における前記故障状況情報を取得し、
前記決定部は、前記取得部が取得した前記故障状況情報に基づいて、前記表示領域で映像の表示に利用する表示ユニットを決定する、
請求項１に記載の表示システム。
【請求項３】
前記決定部が、前記表示領域で前記第１の表示ユニットを映像の表示に利用すると決定した場合、前記表示制御部は、前記第２の表示ユニットを電源オフして、前記第１の表示ユニットを電源オンして映像を表示し、
前記決定部が、前記表示領域において前記第２の表示ユニットを映像の表示に利用すると決定した場合、前記表示制御部は、前記第１の表示ユニットを電源オフして、前記第２の表示ユニットを電源オンして映像を表示し、
前記決定部が、前記表示領域において前記第１の表示ユニットおよび前記第２の表示ユニットを映像の表示に利用すると決定した場合、前記表示制御部は、前記第１の表示ユニット、および前記第２の表示ユニットを電源オンして映像を表示する、
請求項２に記載の表示システム。
【請求項４】
前記映像制御装置は、
各表示領域の半分の表示素子を用いて表示する第１の映像と、各表示領域の全ての表示素子を用いて表示する第２の映像と、を受信する映像受信部と、
前記第１の映像と前記第２の映像のうちから前記表示部に表示する映像を決定する映像決定部と、をさらに備え、
前記決定部は、前記映像決定部が決定した前記表示部に表示する映像、および前記表示領域毎の前記故障状況情報に基づいて、前記表示領域で映像の表示に利用する表示ユニットを決定する、
請求項３に記載の表示システム。
【請求項５】
前記表示領域では、
表示素子がマトリクス状に配置されている、
請求項４に記載の表示システム。
【請求項６】
前記表示領域では、
表示素子が千鳥状に配置されている、
請求項４に記載の表示システム。
【請求項７】
前記決定部は、
前記表示部に表示する映像が前記第１の映像である場合、前記表示領域に配置された前記第１の表示ユニットを構成する表示素子の故障数と、前記第２の表示ユニットを構成する表示素子の故障数とを比較し、前記第１の表示ユニットと前記第２の表示ユニットのうち構成する表示素子の故障数が少ない表示ユニットを前記表示領域において映像の表示に利用すると決定する、
請求項５または６に記載の表示システム。
【請求項８】
前記表示領域では、
前記第１の表示ユニットを構成する表示素子は、奇数列に配置されており、
前記第２の表示ユニットを構成する表示素子は、偶数列に配置されており、
前記決定部は、
前記表示領域を構成する表示素子のうち、偶数列に配置された表示素子、奇数列に配置された表示素子、偶数行に配置された表示素子、奇数行に配置された表示素子の故障数を比較して、
奇数列に配置された表示素子の故障数が最も少ない場合には、前記第１の表示ユニットを映像の表示に利用すると決定し、
偶数列に配置された表示素子の故障数が最も少ない場合には、前記第２の表示ユニットを映像の表示に利用すると決定し、
奇数行に配置された表示素子の故障数が最も少ない場合には、前記第１の表示ユニットおよび前記第２の表示ユニットを映像の表示に利用すると決定するとともに、前記映像制御部に前記第１の表示ユニットおよび前記第２の表示ユニットを構成する表示素子のうち偶数行に配置された表示素子を電源オフ時と同じ表示態様にさせて、前記映像制御部に前記第１の表示ユニットおよび前記第２の表示ユニットを構成する表示素子のうち奇数行に配置された表示素子で映像を表示させ、
偶数行に配置された表示素子の故障数が最も少ない場合には、前記第１の表示ユニットおよび前記第２の表示ユニットを映像の表示に利用すると決定するとともに、前記映像制御部に前記第１の表示ユニットおよび前記第２の表示ユニットを構成する表示素子のうち偶数行に配置された表示素子を電源オフ時と同じ表示態様にさせて、前記映像制御部に前記第１の表示ユニットおよび前記第２の表示ユニットを構成する表示素子のうち偶数行に配置された表示素子で映像を表示させる、
請求項５に記載の表示システム。
【請求項９】
コンピュータに、
ライン状に表示素子が配置された第１の表示ユニットと、ライン状に表示素子が配置された第２の表示ユニットとが交互に配置される表示部に、前記第１の表示ユニットと前記第２の表示ユニットとを制御して映像を表示する表示装置から、前記第１の表示ユニットと前記第２の表示ユニットを構成する表示素子の故障状況を示す故障状況情報を取得させ、
取得した前記故障状況情報に基づいて、前記第１の表示ユニットと前記第２の表示ユニットとのうちから前記表示装置が映像の表示に利用する表示ユニットを決定させ、前記表示装置に通知させる、
処理を実行させるプログラム。
【発明の詳細な説明】
【技術分野】
【０００１】
表示システム、およびプログラムに関する。
【背景技術】
【０００２】
従来から、公営競技場や、スタジアムなどにおいて大型映像表示装置を用いて映像表示が行われている。このような、大型映像表示装置では、装置を構成する表示素子の発光不良（故障）を検知して、故障している表示素子の修理、交換を行うことで、表示する映像の表示品質を保っている。
【先行技術文献】
【特許文献】
【０００３】
【特許文献１】特開２０１１−２３２２７６号公報
【発明の概要】
【発明が解決しようとする課題】
【０００４】
しかしながら、故障している表示素子の修理・交換が完了するまでの間、大型映像表示装置が表示する映像は、故障している表示素子の部分が欠落（欠損）し、表示品質が低下するおそれがあった。
【０００５】
本発明は、このような問題に鑑みてなされたものであり、表示素子の故障による表示品質の低下を抑止可能な表示システム、およびプログラムの提供を目的とする。
【課題を解決するための手段】
【０００６】
上記課題を解決するために、本発明の表示システムは、表示装置と、映像制御装置とを備える。
表示装置は、表示部と、表示制御部とを備える。表示部は、ライン状に表示素子が配置された第１の表示ユニットと、ライン状に表示素子が配置された第２の表示ユニットとが交互に配置される。表示制御部は、第１の表示ユニットと第２の表示ユニットとを制御して、表示部に映像を表示する。
【０００７】
映像制御装置は、取得部と、決定部と、通知部とを備える。取得部は、第１の表示ユニットと第２の表示ユニットとを構成する表示素子の故障状況を示す故障状況情報を表示装置から取得する。決定部は、取得部が取得した故障状況情報に基づいて、第１の表示ユニットと第２の表示ユニットとのうちから表示制御部が映像の表示に利用する表示ユニットを決定する。通知部は、決定部の決定を表示制御部に通知する。
【０００８】
また、本発明のプログラムは、コンピュータに、ライン状に表示素子が配置された第１の表示ユニットと、ライン状に表示素子が配置された第２の表示ユニットとが交互に配置される表示部に、第１の表示ユニットと第２の表示ユニットとを制御して映像を表示する表示装置から、第１の表示ユニットと第２の表示ユニットとを構成する表示素子の故障状況を示す故障状況情報を取得させ、取得した故障状況情報に基づいて、第１の表示ユニットと第２の表示ユニットとのうちから表示装置が映像の表示に利用する表示ユニットを決定させ、表示装置に通知させる、処理を実行させる。
【発明の効果】
【０００９】
表示システム、およびプログラムによれば、表示素子の故障による表示品質の低下を抑止できる。
【図面の簡単な説明】
【００１０】
【図１】第一の実施形態における表示システムの概要を示す図である。
【図２】第二の実施形態における公営競技表示システムの概要を示す図である。
【図３】第二の実施形態における表示領域と制御基板の一例を示す図である。
【図４】第二の実施形態における全体制御装置のハードウェア構成の一例を示す図である。
【図５】第二の実施形態における故障監視装置と全体制御装置の機能ブロックを示す図である。
【図６】第二の実施形態における表示盤制御装置の機能ブロックを示す図である。
【図７】第二の実施形態における故障状況情報と制御態様情報の一例を示す図である。
【図８】第二の実施形態における制御態様更新処理のフローチャートである。
【図９】第三の実施形態における制御態様更新処理のフローチャート（その１）である。
【図１０】第三の実施形態における制御態様更新処理のフローチャート（その２）である。
【図１１】表示素子の配置の応用例を示す図である。
【発明を実施するための形態】
【００１１】
以下、実施形態について図面を参照して説明する。
［第一の実施形態］
まず、第一の実施形態の表示システムについて、図１を用いて説明する。図１は、第一の実施形態における表示システムの概要を示す図である。
【００１２】
表示システム１は、表示装置１０と、映像制御装置２０とを含んで構成される。表示装置１０は、表示部１１と、表示制御部１２とを備える。
表示部１１は、ライン状に表示素子１１ｃが配置された第１の表示ユニット１１ａと、ライン状に表示素子１１ｃが配置された第２の表示ユニット１１ｂとが交互に配置されている。表示素子１１ｃは、たとえば、赤、青、緑の３色の発光ダイオードで構成されている。
【００１３】
表示制御部１２は、第１の表示ユニット１１ａと第２の表示ユニット１１ｂとを制御して、表示部１１に映像を表示する。表示制御部１２は、たとえば、第１の表示ユニット１１ａを電源オン、第２の表示ユニット１１ｂを電源オフにして、第１の表示ユニット１１ａを用いて表示部１１に映像を表示する。また、表示制御部１２は、たとえば、第１の表示ユニット１１ａを電源オフ、第２の表示ユニット１１ｂを電源オンにして、第２の表示ユニット１１ｂを用いて映像を表示する。
【００１４】
映像制御装置２０は、取得部２１と、決定部２２と、通知部２３とを備える。取得部２１は、第１の表示ユニット１１ａと第２の表示ユニット１１ｂとを構成する表示素子１１ｃの故障状況を示す故障状況情報を表示装置１０から取得する。故障状況情報は、故障している表示素子１１ｃが第１の表示ユニット１１ａまたは第２の表示ユニット１１ｂのうちのどちらに配置されているか識別可能な情報である。
【００１５】
決定部２２は、取得部２１が取得した故障状況情報に基づいて、第１の表示ユニット１１ａと第２の表示ユニット１１ｂとのうちから表示制御部１２が映像の表示に利用する表示ユニットを決定する。決定部２２は、第１の表示ユニット１１ａと第２の表示ユニット１１ｂとのうちの故障している表示素子１１ｃが少ない方を、表示制御部１２が映像の表示に利用する表示ユニットとして決定する。通知部２３は、決定部２２の決定を表示制御部１２に通知する。
【００１６】
ここで、映像制御装置２０で実行されるプログラムについて説明する。プログラムは、第１の表示ユニット１１ａと、第２の表示ユニット１１ｂとが交互に配置される表示部１１に、第１の表示ユニット１１ａと第２の表示ユニット１１ｂとを制御して映像を表示する表示装置１０から、第１の表示ユニット１１ａと第２の表示ユニット１１ｂとを構成する表示素子１１ｃの故障状況を示す故障状況情報を取得させる処理を映像制御装置２０に実行させる。そして、プログラムは、故障状況情報に基づいて、第１の表示ユニット１１ａと第２の表示ユニット１１ｂとのうちから表示装置１０が映像の表示に利用する表示ユニットを決定させ、表示装置１０に通知させる処理を映像制御装置２０に実行させる。
【００１７】
このように、表示装置１０は、故障状況情報に基づいて表示に利用する表示ユニットを決定するため、故障している表示素子１１ｃが少ない表示ユニットを用いて表示をすることができる。これにより、表示装置１０は、表示素子の故障による表示品質の低下を抑止できる。
【００１８】
たとえば、第１の表示ユニット１１ａの表示素子１１ｃだけが壊れている場合、第２の表示ユニット１１ｂを用いて映像を表示することができるため、表示装置１０は、欠落が発生していない映像を、表示部１１に表示できる。
【００１９】
さらに、表示装置１０は、故障している表示素子１１ｃが少ない一方の表示ユニットを用いて映像を表示しながら、故障している表示素子１１ｃが多い他方の表示ユニットの修理を受付けることもできる。
【００２０】
［第二の実施形態］
第二の実施形態では、公営競技表示システムについて説明する。図２は、第二の実施形態における公営競技表示システムの概要を示す図である。
【００２１】
公営競技表示システム３０は、競技場において表示盤４０を用いて公営競技（競馬、競輪、競艇など）の情報を提供するシステムである。以下、特に公営競技の一例である競馬を用いて説明する。公営競技表示システム３０は、表示盤４０と、映像供給装置５０と、全体制御装置６０と、表示盤制御装置７０と、故障監視装置８０とを含んで構成される。
【００２２】
表示盤４０は、観客に対して映像により情報を提供する装置である。表示盤４０は、複数の表示領域４１と、表示領域４１毎に設けられた表示領域４１における映像の表示を制御する図示しない制御基板を含んで構成される。ここで表示領域４１および制御基板について、図３を用いて具体的に説明する。図３は、第二の実施形態における表示領域と制御基板の一例を示す図である。
【００２３】
表示領域４１は、ライン状（縦方向）に１６個の表示素子４１ｂが配列された３２個の表示ユニット４１ａで構成されている。各表示ユニット４１ａは、表示素子４１ｂがマトリクス状（行列状）に位置するようライン方向（縦方向）と垂直な方向（横方向）に並べて配置されている。以下、（Ｍ、Ｎ）は、Ｎ列目の表示ユニット４１ａの上からＭ番目の表示素子４１ｂを指すものとする。
【００２４】
偶数列表示ユニット制御基板４２は、表示領域４１を構成する表示ユニット４１ａのうち、偶数列に配置された１６個の表示ユニット４１ａを制御する制御基板である。奇数列表示ユニット制御基板４３は、表示領域４１を構成する表示ユニット４１ａのうち、奇数列に配置された１６個の表示ユニット４１ａを制御する制御基板である。以下、両制御基板は、偶数列表示ユニット制御基板４２および奇数列表示ユニット制御基板４３の両方を指すものとする。
【００２５】
このように表示領域４１を構成する表示ユニット４１ａは、偶数列と奇数列とで別々に制御されている。このため、表示盤４０は、各表示領域４１において、偶数列または奇数列の一方の表示ユニット４１ａを電源オフして、他方の表示ユニット４１ａを使って（各表示領域４１を構成する表示素子４１ｂの半分を用いて）映像を表示することができる。図２に戻って説明を続ける。
【００２６】
映像供給装置５０は、表示盤４０に表示する映像を供給する装置である。映像供給装置５０としては、出走馬・オッズ映像生成装置５１とカメラ中継装置５２と映像配信装置５３とがある。
【００２７】
出走馬・オッズ映像生成装置５１は、出走する馬の名前や、オッズなどの情報を表示する映像を生成して、供給する装置である。出走馬・オッズ映像生成装置５１は、要求解像度が低い映像を供給する装置の一例である。要求解像度が低い映像は、表示盤４０を構成する半分の表示素子４１ｂ（各表示領域４１を構成する表示素子４１ｂのうち半分）を用いて表示する映像である。
【００２８】
要求解像度は、映像の表示品質を保つために必要な解像度であり、映像の内容に応じて変化する。たとえば、要求解像度が低い映像は、文字を静止状態で表示する映像である。文字を静止状態で表示する映像は、滑らかさや細部の鮮明さをあまり求められず、なおかつ、一般に公営競技の表示盤４０は大型であり遠くから視聴されることから、表示盤４０を構成する半分の表示素子４１ｂ（表示領域４１を構成する表示素子４１ｂのうち半分）を用いた表示でも良好に表示される（表示品質が保たれる）。なお、文字を静止状態で表示する映像は、欠落部分によって視認性が低下する（文字が読取りづらくなる）場合があるため、欠落（欠損）を抑止する必要がある。
【００２９】
一方、要求解像度が高い映像は、表示盤４０を構成する全ての表示素子４１ｂ（各表示領域４１を構成する全ての表示素子４１ｂ）を用いて表示する映像であり、たとえば、風景や動画などである。風景や動画などを表示する映像は、滑らかさや細部の鮮明さを求められるため、表示盤４０を構成する半分の表示素子４１ｂ（表示領域４１を構成する表示素子４１ｂのうち半分）を用いた表示では良好に表示されない。
【００３０】
カメラ中継装置５２は、競技場内で撮影したレースの映像などを供給する装置である。カメラ中継装置５２は、要求解像度が高い映像を供給する装置の一例である。映像配信装置５３は、テレビなどで流れている映像を供給する装置である。映像配信装置５３は、要求解像度が高い映像を供給する装置の一例である。
【００３１】
全体制御装置６０は、公営競技表示システム３０の全体を制御する装置である。全体制御装置６０は、映像供給装置５０から供給された映像のうちから、表示盤４０で表示する映像を決定する。そして、全体制御装置６０は、表示盤４０で表示する映像、および表示盤４０を構成する表示素子４１ｂの故障の状況に応じて表示盤４０の制御態様を決定する。
【００３２】
具体的には、全体制御装置６０は、表示盤４０の制御態様として、各表示領域４１の両制御基板の制御態様（映像の表示に利用する表示ユニット４１ａ）を決定する。要求解像度が高い映像を表示する場合、全体制御装置６０は、偶数列および奇数列の表示ユニット４１ａ（横３２×縦１６の表示素子４１ｂ）を利用して映像を表示すると決定する。要求解像度が低い映像を表示する場合、全体制御装置６０は、表示素子４１ｂの故障状況に基づいて偶数列の表示ユニット４１ａまたは奇数列の表示ユニット４１ａのうち一方（横１６×縦１６の表示素子４１ｂ）を利用して映像を表示すると決定する。
【００３３】
表示盤制御装置７０は、全体制御装置６０が決定した映像、および各表示領域４１の両制御基板の制御態様に基づいて、各表示領域４１の両制御基板を制御する。
故障監視装置８０は、各表示領域４１を構成する表示素子４１ｂの故障を監視する装置である。故障監視装置８０は、所定のタイミングで故障状況の検知指示を表示盤制御装置７０に行い、検知結果（各表示領域４１を構成する表示素子４１ｂの故障状況を示す故障状況情報）を取得し、故障状況情報を故障監視装置８０の操作者に報知する。故障状況情報は、故障している表示素子４１ｂを識別可能な情報である。故障状況情報によれば、何番目の表示領域４１を構成する何列目の表示ユニット４１ａの上から何番目の表示素子４１ｂが故障しているかを特定できる。故障状況情報については、後で図７を用いて詳細に説明する。
【００３４】
次に、全体制御装置６０のハードウェア構成について図４を用いて説明する。図４は、第二の実施形態における全体制御装置のハードウェア構成の一例を示す図である。
全体制御装置６０は、プロセッサ６１によって装置全体が制御されている。プロセッサ６１には、バス６９を介してＲＡＭ（Random Access Memory）６２と複数の周辺機器が接続されている。プロセッサ６１は、マルチプロセッサであってもよい。プロセッサ６１は、たとえばＣＰＵ（Central Processing Unit）、ＭＰＵ（Micro Processing Unit）、ＤＳＰ（Digital Signal Processor）、ＡＳＩＣ（Application Specific Integrated Circuit）、またはＰＬＤ（Programmable Logic Device）である。またプロセッサ６１は、ＣＰＵ、ＭＰＵ、ＤＳＰ、ＡＳＩＣ、ＰＬＤのうちの２以上の要素の組み合わせであってもよい。
【００３５】
ＲＡＭ６２は、全体制御装置６０の主記憶装置として使用される。ＲＡＭ６２には、プロセッサ６１に実行させるＯＳ（Operating System）のプログラムやアプリケーションプログラムの少なくとも一部が一時的に格納される。また、ＲＡＭ６２には、プロセッサ６１による処理に必要な各種データが格納される。
【００３６】
バス６９に接続されている周辺機器としては、ＨＤＤ（Hard Disk Drive）６３、グラフィック処理装置６４、入力インタフェース６５、光学ドライブ装置６６、機器接続インタフェース６７およびネットワークインタフェース６８がある。
【００３７】
ＨＤＤ６３は、内蔵したディスクに対して、磁気的にデータの書き込みおよび読み出しを行う。ＨＤＤ６３は、全体制御装置６０の補助記憶装置として使用される。ＨＤＤ６３には、ＯＳのプログラム、アプリケーションプログラム、および各種データが格納される。なお、補助記憶装置としては、フラッシュメモリなどの半導体記憶装置を使用することもできる。
【００３８】
グラフィック処理装置６４には、モニタ６４ａが接続されている。グラフィック処理装置６４は、プロセッサ６１からの命令に従って、画像をモニタ６４ａの画面に表示させる。モニタ６４ａとしては、ＣＲＴ（Cathode Ray Tube）を用いた表示装置や液晶表示装置などがある。
【００３９】
入力インタフェース６５には、キーボード６５ａとマウス６５ｂとが接続されている。入力インタフェース６５は、キーボード６５ａやマウス６５ｂから送られてくる信号をプロセッサ６１に送信する。なお、マウス６５ｂは、ポインティングデバイスの一例であり、他のポインティングデバイスを使用することもできる。他のポインティングデバイスとしては、タッチパネル、タブレット、タッチパッド、トラックボールなどがある。
【００４０】
光学ドライブ装置６６は、レーザ光などを利用して、光ディスク６６ａに記録されたデータの読み取りを行う。光ディスク６６ａは、光の反射によって読み取り可能なようにデータが記録された可搬型の記録媒体である。光ディスク６６ａには、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（ReWritable）などがある。
【００４１】
機器接続インタフェース６７は、全体制御装置６０に周辺機器を接続するための通信インタフェースである。たとえば、機器接続インタフェース６７には、メモリ装置６７ａやメモリリーダライタ６７ｂを接続することができる。メモリ装置６７ａは、機器接続インタフェース６７との通信機能を搭載した記録媒体である。メモリリーダライタ６７ｂは、メモリカード６７ｃへのデータの書き込み、またはメモリカード６７ｃからのデータの読み出しを行う装置である。メモリカード６７ｃは、カード型の記録媒体である。
【００４２】
ネットワークインタフェース６８は、ネットワークに接続されている。ネットワークインタフェース６８は、ネットワークを介して、映像供給装置５０との間、表示盤制御装置７０との間、および故障監視装置８０との間でデータの送受信を行う。
【００４３】
以上のようなハードウェア構成によって、第二の実施形態の全体制御装置６０の処理機能を実現することができる。なお、第一の実施形態の表示装置１０、映像制御装置２０、第二の実施形態の表示盤制御装置７０、および故障監視装置８０も全体制御装置６０と同様のハードウェアにより処理機能を実現することができる。
【００４４】
全体制御装置６０は、たとえばコンピュータ読み取り可能な記録媒体に記録されたプログラムを実行することにより、第二の実施形態の処理機能を実現する。全体制御装置６０に実行させる処理を記述したプログラムは、様々な記録媒体に記録しておくことができる。たとえば、全体制御装置６０に実行させるプログラムをＨＤＤ６３に格納しておくことができる。プロセッサ６１は、ＨＤＤ６３内のプログラムの少なくとも一部をＲＡＭ６２にロードし、プログラムを実行する。また全体制御装置６０に実行させるプログラムを、光ディスク６６ａ、メモリ装置６７ａ、メモリカード６７ｃなどの可搬型記録媒体に記録しておくこともできる。可搬型記録媒体に格納されたプログラムは、たとえばプロセッサ６１からの制御により、ＨＤＤ６３にインストールされた後、実行可能となる。またプロセッサ６１が、可搬型記録媒体から直接プログラムを読み出して実行することもできる。
【００４５】
次に、全体制御装置６０、表示盤制御装置７０、および故障監視装置８０が備える機能について図５、６を用いて説明する。
図５は、第二の実施形態における故障監視装置と全体制御装置の機能ブロックを示す図である。図６は、第二の実施形態における表示盤制御装置の機能ブロックを示す図である。
【００４６】
故障監視装置８０は、故障状況検知指示部８０１と、検知結果受信部８０２と、表示部８０３と、修理情報通知部８０４とを備える。
故障状況検知指示部８０１は、各表示領域４１の表示素子４１ｂの故障状況の検知指示を、全体制御装置６０を介して表示盤制御装置７０に行う。たとえば、故障状況検知指示部８０１は、故障監視装置８０の操作者の指示を受付けた場合に、故障状況の検知指示を行う。または、故障状況検知指示部８０１は、所定のタイミングで（たとえば、定期的に）、故障状況の検知指示を行う。検知結果受信部８０２は、検知結果（故障状況情報）を受信する。表示部８０３は、受信した故障状況情報を表示する。
【００４７】
修理情報通知部８０４は、修理した表示素子４１ｂに関する修理情報を全体制御装置６０に通知する。たとえば、修理情報通知部８０４は、故障監視装置８０の操作者から修理情報の入力を受付けると、受付けた修理情報を全体制御装置６０に通知する。
【００４８】
全体制御装置６０は、故障状況検知指示受信部６０１と、故障状況検知指示通知部６０２と、検知結果受信部６０３と、検知結果通知部６０４と、修理情報受信部６０５と、故障状況情報記憶部６０６と、故障状況情報更新部６０７とを備える。また、全体制御装置６０は、制御態様情報記憶部６０８と、制御態様情報更新部６０９と、映像受信部６１０と、表示映像決定部６１１と、制御態様決定部６１２と、映像・制御態様通知部６１３とを備える。
【００４９】
故障状況検知指示受信部６０１は、故障状況検知指示部８０１から故障状況の検知指示を受付ける。故障状況検知指示通知部６０２は、故障状況の検知指示を表示盤制御装置７０に通知する。
【００５０】
検知結果受信部６０３は、表示盤制御装置７０から検知結果（故障状況情報）を受信する。検知結果通知部６０４は、受信した検知結果（故障状況情報）を故障監視装置８０に通知する。修理情報受信部６０５は、修理情報通知部８０４が通知した修理情報を受信する。
【００５１】
故障状況情報記憶部６０６は、故障状況情報を記憶する。故障状況情報更新部６０７は、検知結果受信部６０３が検知結果（故障状況情報）を受信した場合に、故障状況情報記憶部６０６が記憶する故障状況情報を更新する。また、故障状況情報更新部６０７は、修理情報受信部６０５が修理情報を受信した場合に、故障状況情報記憶部６０６が記憶する故障状況情報を更新する。これにより、故障状況情報記憶部６０６が記憶する故障状況情報は、適宜最新の情報に更新される。
【００５２】
制御態様情報記憶部６０８は、要求解像度が低い映像を表示する場合、および要求解像度が高い映像を表示する場合における各表示領域４１の両制御基板の制御態様（映像の表示に利用する表示ユニット４１ａ）を示す制御態様情報を記憶する。制御態様情報については、後で図７を用いて詳細に説明する。
【００５３】
制御態様情報更新部６０９は、故障状況情報記憶部６０６が記憶する故障状況情報が更新された場合に、制御態様情報記憶部６０８が記憶する制御態様情報を更新する。より具体的には、制御態様情報更新部６０９は、故障状況情報記憶部６０６が記憶する故障状況情報が更新されると、制御態様情報記憶部６０８が記憶する制御態様情報のうち、要求解像度が低い映像を表示する場合の各表示領域４１の両制御基板の制御態様を更新する。
【００５４】
映像受信部６１０は、映像供給装置５０が供給する映像を受信する。表示映像決定部６１１は、供給された映像のうちから表示盤４０に表示する映像を決定する。制御態様決定部６１２は、制御態様情報記憶部６０８が記憶した制御態様情報、および表示映像決定部６１１が決定した映像の要求解像度に応じて、各表示領域４１の両制御基板の制御態様を決定する。
【００５５】
映像・制御態様通知部６１３は、表示映像決定部６１１が決定した映像、および制御態様決定部６１２が決定した各表示領域４１の両制御基板の制御態様を表示盤制御装置７０に通知する。
【００５６】
表示盤制御装置７０は、故障状況検知部７０１と、検知結果通知部７０２と、制御基板制御部７０３とを備える。
故障状況検知部７０１は、故障状況検知指示通知部６０２から故障状況の検知指示の通知を受付けると、各表示領域４１の両制御基板を制御して表示素子４１ｂの故障状況を検知する。検知結果通知部７０２は、故障状況検知部７０１の検知結果（故障状況情報）を検知結果受信部６０３に通知する。
【００５７】
制御基板制御部７０３は、映像・制御態様通知部６１３から受信した映像、および各表示領域４１の両制御基板の制御態様に基づいて、各表示領域４１の両制御基板を制御する。
【００５８】
次に、故障状況情報と制御態様情報について図７を用いて説明する。図７は、第二の実施形態における故障状況情報と制御態様情報の一例を示す図である。
故障状況情報６０６ａは、故障状況情報記憶部６０６が記憶する故障状況情報の一例である。故障状況情報６０６ａは、表示領域４１毎の故障状況の項目を含む。各表示領域４１の故障状況の項目には、各表示領域４１において故障している表示素子４１ｂの情報が設定される。
【００５９】
故障状況情報６０６ａには、第１表示領域の故障状況として「（３，２），（３，４）」、および第Ｎ表示領域の故障状況として「（５，７），（３，５）」が設定されている。これは、第１表示領域においては、２列目の表示ユニット４１ａの上から３番目の表示素子４１ｂと４列目の表示ユニット４１ａの上から３番目の表示素子４１ｂが故障していることを示している。また、第Ｎ表示領域においては、７列目の表示ユニット４１ａの上から５番目の表示素子４１ｂと５列目の表示ユニット４１ａの上から３番目の表示素子４１ｂが故障していることを示している。
【００６０】
制御態様情報６０８ａは、制御態様情報記憶部６０８が記憶する制御態様情報の一例である。故障状況情報記憶部６０６が故障状況情報６０６ａを記憶している場合に制御態様情報記憶部６０８は、制御態様情報６０８ａを記憶する。
【００６１】
制御態様情報６０８ａは、要求解像度と、表示領域４１毎の制御態様との項目を備える。要求解像度の項目には、「低」，「高」の２種類が設定される。
各表示領域４１の制御態様の項目には、要求解像度に応じた両制御基板の制御態様が設定される。要求解像度「低」に対応する各表示領域４１の制御態様の項目には、「態様１（偶数列：電源オフ、奇数列：電源オン）」、または「態様２（偶数列：電源オン、奇数列：電源オフ）」のいずれかが設定される。「態様１（偶数列：電源オフ、奇数列：電源オン）」は、偶数列の表示ユニット４１ａを電源オフにして、奇数列の表示素子４１ｂ（横１６×縦１６の表示素子４１ｂ）で映像を表示する場合（奇数列表示）の制御態様である。「態様２（偶数列：電源オン、奇数列：電源オフ）」は、奇数列の表示ユニット４１ａを電源オフにして、偶数列の表示素子４１ｂ（横１６×縦１６の表示素子４１ｂ）で映像を表示する場合（偶数列表示）の制御態様である。
【００６２】
具体的には、表示領域４１において偶数列の表示素子４１ｂの故障数が奇数列の表示素子４１ｂの故障数以上である場合には、「態様１（偶数列：電源オフ、奇数列：電源オン）」が設定される。一方、表示領域４１において隅数列の表示素子４１ｂの故障数が奇数列の表示素子４１ｂの故障数未満である場合には、「態様２（偶数列：電源オン、奇数列：電源オフ）」が設定される。
【００６３】
要求解像度「高」に対応する各表示領域４１の制御態様の項目には、偶数列および奇数列の表示素子４１ｂで表示する場合の制御態様を示す「態様３（偶数列：電源オン、奇数列：電源オン）」が設定される。「態様３（偶数列：電源オン、奇数列：電源オン）」は、全ての表示素子４１ｂ（横３２×縦１６の表示素子４１ｂ）で映像を表示する場合（全表示）の制御態様である。
【００６４】
なお、要求解像度「高」に対応する各表示領域４１の制御態様の項目には、表示素子４１ｂの故障状況に関わらず、常に「態様３（偶数列：電源オン、奇数列：電源オン）」が設定される。
【００６５】
たとえば、故障状況情報６０６ａでは第１表示領域の表示素子４１ｂの故障数は（奇数列０、偶数列２）である。そのため、制御態様情報６０８ａの要求解像度「低」に対応する第１表示領域の制御態様の項目には、奇数列の表示素子４１ｂで映像を表示する「態様１（偶数列：電源オフ、奇数列：電源オン）」が設定されている。
【００６６】
また、故障状況情報６０６ａでは第Ｎ表示領域の表示素子４１ｂの故障数は（奇数列２、偶数列０）である。そのため、制御態様情報６０８ａの要求解像度「低」に対応する第Ｎ表示領域の制御態様の項目には、偶数列の表示素子４１ｂで映像を表示する「態様２（偶数列：電源オン、奇数列：電源オフ）」が設定されている。
【００６７】
なお、表示領域４１毎の故障状況に基づいて各表示領域４１の要求解像度「低」における表示態様が決定すると説明したがこれに限らない。２以上の表示領域４１毎に故障状況に基づいて２以上の表示領域４１の要求解像度「低」における制御態様が決定（所定数の表示領域４１の制御態様を全て同じ制御態様に）するようにすることもできる。
【００６８】
たとえば、４つの表示領域４１で１文字を表示する場合、全体制御装置６０は、４つの表示領域４１毎に故障状況に基づいて４つの表示領域４１の要求解像度「低」における制御態様が決定する。これによれば、全体制御装置６０は、表示盤４０に映像を表示する際に、文字内に表示ずれ（偶数列の表示素子４１ｂで表示した場合と奇数列の表示素子４１ｂで表示した場合に生じる１列のずれ）が発生するのを抑止できる。
【００６９】
次に、制御態様更新処理について図８を用いて説明する。図８は、第二の実施形態における制御態様更新処理のフローチャートである。制御態様更新処理は、故障状況情報記憶部６０６が記憶する故障状況情報が更新された場合に行われる処理である。
【００７０】
［ステップＳ１１］制御態様情報更新部６０９は、故障状況情報記憶部６０６を参照し、故障している表示素子４１ｂが有るか否かを判定する。制御態様情報更新部６０９が、故障している表示素子４１ｂが有ると判定した場合にはステップＳ１２にすすみ、故障している表示素子４１ｂが無いと判定した場合にはステップＳ１４にすすむ。
【００７１】
［ステップＳ１２］制御態様情報更新部６０９は、故障状況情報記憶部６０６を参照し、全ての表示領域４１で１つも奇数列の表示素子４１ｂが故障していないか判定する。制御態様情報更新部６０９が、全ての表示領域４１で１つも奇数列の表示素子４１ｂが故障していないと判定した場合にはステップＳ１４にすすみ、いずれかの表示領域４１に故障している奇数列の表示素子４１ｂがあると判定した場合にはステップＳ１３にすすむ。
【００７２】
［ステップＳ１３］制御態様情報更新部６０９は、故障状況情報記憶部６０６を参照し、全ての表示領域４１で１つも偶数列の表示素子４１ｂが故障していないか判定する。制御態様情報更新部６０９が、全ての表示領域４１で１つも偶数列の表示素子４１ｂが故障していないと判定した場合にはステップＳ１５にすすみ、いずれかの表示領域４１に故障している偶数列の表示素子４１ｂがあると判定した場合にはステップＳ１６にすすむ。
【００７３】
［ステップＳ１４］制御態様情報更新部６０９は、制御態様情報記憶部６０８が記憶する制御態様情報の要求解像度「低」における各表示領域４１の制御態様を「態様１（偶数列：電源オフ、奇数列：電源オン）」に更新して、制御態様情報更新処理を終了する。
【００７４】
［ステップＳ１５］制御態様情報更新部６０９は、制御態様情報記憶部６０８が記憶する制御態様情報の要求解像度「低」における各表示領域４１の制御態様を「態様２（偶数列：電源オン、奇数列：電源オフ）」に更新して、制御態様情報更新処理を終了する。
【００７５】
［ステップＳ１６］制御態様情報更新部６０９は、故障状況情報記憶部６０６を参照し、故障している表示素子４１ｂがある表示領域４１を特定する。
［ステップＳ１７］制御態様情報更新部６０９は、制御態様情報記憶部６０８が記憶する制御態様情報の要求解像度「低」における、故障している表示素子４１ｂがない表示領域４１の制御態様を「態様１（偶数列：電源オフ、奇数列：電源オン）」に更新する。
【００７６】
［ステップＳ１８］制御態様情報更新部６０９は、制御態様が未更新の表示領域４１（故障している表示素子４１ｂがある表示領域４１）のうち１つを選択する。
［ステップＳ１９］制御態様情報更新部６０９は、故障状況情報記憶部６０６を参照し、奇数列の表示素子４１ｂの故障数が偶数列の表示素子４１ｂの故障数以下であるか否かを判定する。制御態様情報更新部６０９が、奇数列の表示素子４１ｂの故障数が偶数列の表示素子４１ｂの故障数以下であると判定した場合にはステップＳ２０にすすみ、奇数列の表示素子４１ｂの故障数が偶数列の表示素子４１ｂの故障数以下でないと判定した場合にはステップＳ２１にすすむ。
【００７７】
［ステップＳ２０］制御態様情報更新部６０９は、制御態様情報記憶部６０８が記憶する制御態様情報の要求解像度「低」における、選択した表示領域４１の制御態様を「態様１（偶数列：電源オフ、奇数列：電源オン）」に更新して、ステップＳ２２にすすむ。
【００７８】
［ステップＳ２１］制御態様情報更新部６０９は、制御態様情報記憶部６０８が記憶する制御態様情報の要求解像度「低」における、選択した表示領域４１の制御態様を「態様２（偶数列：電源オン、奇数列：電源オフ）」に更新する。
【００７９】
［ステップＳ２２］制御態様情報更新部６０９は、制御態様が未更新の表示領域４１が有るか否かを判定する。制御態様情報更新部６０９が、制御態様が未更新の表示領域４１が有ると判定した場合にはステップＳ１８にすすみ、制御態様が未更新の表示領域４１が無いと判定した場合には制御態様更新処理を終了する。
【００８０】
このような公営競技表示システム３０によれば、要求解像度が低い映像を表示する際、各表示領域４１では、偶数列または奇数列のうち故障が多い方の表示ユニット４１ａを電源オフにして、故障が少ない方の表示ユニット４１ａの表示素子４１ｂを利用して映像を表示する。これによれば、公営競技表示システム３０は、要求解像度が低い映像を表示盤４０に表示する際、故障した表示素子４１ｂによって映像が欠落するのを抑止し、映像の表示品質の低下を抑止できる。さらに、公営競技表示システム３０では、表示盤４０は、要求解像度が低い映像を表示する際、映像を表示しながら、映像の表示に利用していない故障が多い方の表示ユニット４１ａの修理（故障している表示素子４１ｂの修理）を受付けることができる。
【００８１】
また、公営競技表示システム３０は、要求解像度が低い映像を表示する際、偶数列または奇数列のうちのどちらか一方の表示ユニット４１ａを電源オフするため、消費電力を抑制することができる。
【００８２】
なお、要求解像度が低い映像を表示する際、表示領域４１において偶数列および奇数列に故障した表示素子４１ｂがある場合、当該表示領域４１では故障が多い方の表示ユニット４１ａを電源オフにして、故障が少ない方の表示ユニット４１ａの表示素子４１ｂで映像を表示するとしたがこれに限らない。
【００８３】
たとえば、偶数列および奇数列の表示ユニット４１ａを電源オンにして、故障が少ない方の表示ユニット４１ａの表示素子４１ｂで映像を表示するとともに、故障が多い方の表示ユニット４１ａの表示素子４１ｂで、故障が少ない方の故障部分の補填をすることもできる。
【００８４】
具体的には、映像を表示する際に、故障が少ない方の表示ユニット４１ａの故障部分の代わりに、当該故障部分と隣接する故障が多い方の表示ユニット４１ａの表示素子４１ｂを利用するとともに、故障が多い方の表示ユニット４１ａのそれ以外の部分を黒表示（電源オフの際の表示）にする。
【００８５】
これによれば、故障部分の表示を故障が多い方の表示ユニット４１ａの表示素子４１ｂで故障部分を補填できるため、公営競技表示システム３０は、表示盤４０で表示する映像の表示品質の低下を抑止できる。
【００８６】
［第三の実施形態］
次に第三の実施形態について説明する。なお、第二の実施形態と同様の構成については同様の符号を付して説明する。第二の実施形態では、故障状況に基づいて要求解像度が低い映像を表示する際の各表示領域４１の制御態様を、「態様１（偶数列：電源オフ、奇数列：電源オン）」、または「態様２（偶数列：電源オン、奇数列：電源オフ）」とした。
【００８７】
第三の実施形態では、故障状況に基づいて、要求解像度が低い映像を表示する際の各表示領域４１の制御態様を、「態様１（偶数列：電源オフ、奇数列：電源オン）」、「態様２（偶数列：電源オン、奇数列：電源オフ）」、「態様４（偶数列：電源オン、奇数列：電源オン、偶数行黒表示）」、または「態様５（偶数列：電源オン、奇数列：電源オン、奇数行黒表示）」とする。
【００８８】
「態様４（偶数列：電源オン、奇数列：電源オン、偶数行黒表示）」は、偶数列および奇数列の表示ユニット４１ａを電源オンするとともに、各表示ユニット４１ａの偶数行を黒表示（電源オフの際の表示）にして、奇数行の表示素子４１ｂ（横３２×縦８の表示素子４１ｂ）で映像を表示する場合（奇数行表示）の制御態様である。
【００８９】
「態様５（偶数列：電源オン、奇数列：電源オン、奇数行黒表示）」は、偶数列および奇数列の表示ユニット４１ａを電源オンするとともに、各表示ユニット４１ａの奇数行を黒表示（電源オフの際の表示）にして、偶数行の表示素子４１ｂ（横３２×縦８の表示素子４１ｂ）で映像を表示する場合（偶数行表示）の制御態様である。
【００９０】
すなわち、要求解像度が低い映像を表示する際、各表示領域４１では、奇数列表示（態様１）、偶数列表示（態様２）、奇数行表示（態様４）、または偶数行表示（態様５）のうち最も故障が少ない態様で映像が表示される。
【００９１】
要求解像度が低い映像を表示する際の各表示領域４１の制御態様の更新について図９，１０を用いて説明する。図９，１０は、第三の実施形態における制御態様更新処理のフローチャートを示す図である。
【００９２】
［ステップＳ３１］制御態様情報更新部６０９は、故障状況情報記憶部６０６を参照し、故障している表示素子４１ｂが有るか否かを判定する。制御態様情報更新部６０９が、故障している表示素子４１ｂが有ると判定した場合にはステップＳ３２にすすみ、故障している表示素子４１ｂが無いと判定した場合にはステップＳ３４にすすむ。
【００９３】
［ステップＳ３２］制御態様情報更新部６０９は、故障状況情報記憶部６０６を参照し、全ての表示領域４１で１つも奇数列の表示素子４１ｂが故障していないか判定する。制御態様情報更新部６０９が、全ての表示領域４１で１つも奇数列の表示素子４１ｂが故障していないと判定した場合にはステップＳ３４にすすみ、いずれかの表示領域４１に故障している奇数列の表示素子４１ｂがあると判定した場合にはステップＳ３３にすすむ。
【００９４】
［ステップＳ３３］制御態様情報更新部６０９は、故障状況情報記憶部６０６を参照し、全ての表示領域４１で１つも偶数列の表示素子４１ｂが故障していないか判定する。制御態様情報更新部６０９が、全ての表示領域４１で１つも偶数列の表示素子４１ｂが故障していないと判定した場合にはステップＳ３５にすすみ、いずれかの表示領域４１に故障している偶数列の表示素子４１ｂがあると判定した場合にはステップＳ３６にすすむ。
【００９５】
［ステップＳ３４］制御態様情報更新部６０９は、制御態様情報記憶部６０８が記憶する制御態様情報の要求解像度「低」における各表示領域４１の制御態様を「態様１（偶数列：電源オフ、奇数列：電源オン）」に更新して、制御態様情報更新処理を終了する。
【００９６】
［ステップＳ３５］制御態様情報更新部６０９は、制御態様情報記憶部６０８が記憶する制御態様情報の要求解像度「低」における各表示領域４１の制御態様を「態様２（偶数列：電源オン、奇数列：電源オフ）」に更新して、制御態様情報更新処理を終了する。
【００９７】
［ステップＳ３６］制御態様情報更新部６０９は、故障状況情報記憶部６０６を参照し、全ての表示領域４１で１つも奇数行の表示素子４１ｂが故障していないか判定する。制御態様情報更新部６０９が、全ての表示領域４１で１つも奇数行の表示素子４１ｂが故障していないと判定した場合にはステップＳ３７にすすみ、いずれかの表示領域４１に故障している奇数行の表示素子４１ｂがあると判定した場合にはステップＳ３８にすすむ。
【００９８】
［ステップＳ３７］制御態様情報更新部６０９は、制御態様情報記憶部６０８が記憶する制御態様情報の要求解像度「低」における各表示領域４１の制御態様を「態様４（偶数列：電源オン、奇数列：電源オン、偶数行黒表示）」に更新して、制御態様情報更新処理を終了する。
【００９９】
［ステップＳ３８］制御態様情報更新部６０９は、故障状況情報記憶部６０６を参照し、全ての表示領域４１で１つも偶数行の表示素子４１ｂが故障していないか判定する。制御態様情報更新部６０９が、全ての表示領域４１で１つも偶数行の表示素子４１ｂが故障していないと判定した場合にはステップＳ３９にすすみ、いずれかの表示領域４１に故障している偶数行の表示素子４１ｂがあると判定した場合にはステップＳ４０にすすむ。
【０１００】
［ステップＳ３９］制御態様情報更新部６０９は、制御態様情報記憶部６０８が記憶する制御態様情報の要求解像度「低」における各表示領域４１の制御態様を「態様５（偶数列：電源オン、奇数列：電源オン、奇数行黒表示）」に更新して、制御態様情報更新処理を終了する。
【０１０１】
［ステップＳ４０］制御態様情報更新部６０９は、故障状況情報記憶部６０６を参照し、故障している表示素子４１ｂがある表示領域４１を特定する。
［ステップＳ４１］制御態様情報更新部６０９は、制御態様情報記憶部６０８が記憶する制御態様情報の要求解像度「低」における、故障している表示素子４１ｂがない表示領域４１の制御態様を「態様１（偶数列：電源オフ、奇数列：電源オン）」に更新する。
【０１０２】
［ステップＳ４２］制御態様情報更新部６０９は、制御態様が未更新の表示領域４１（故障している表示素子４１ｂがある表示領域４１）のうち１つを選択する。
［ステップＳ４３］制御態様情報更新部６０９は、故障状況情報記憶部６０６を参照し、奇数列の表示素子４１ｂの故障数が、偶数列の表示素子４１ｂの故障数、奇数行の表示素子４１ｂの故障数、および偶数行の表示素子４１ｂの故障数以下であるか否かを判定する。
【０１０３】
制御態様情報更新部６０９が、奇数列の表示素子４１ｂの故障数が、偶数列の表示素子４１ｂの故障数、奇数行の表示素子４１ｂの故障数、および偶数行の表示素子４１ｂの故障数以下であると判定した場合にはステップＳ４４にすすむ。制御態様情報更新部６０９が、奇数列の表示素子４１ｂの故障数が、偶数列の表示素子４１ｂの故障数、奇数行の表示素子４１ｂの故障数、および偶数行の表示素子４１ｂの故障数以下でないと判定した場合にはステップＳ４５にすすむ。
【０１０４】
［ステップＳ４４］制御態様情報更新部６０９は、制御態様情報記憶部６０８が記憶する制御態様情報の要求解像度「低」における、選択した表示領域４１の制御態様を「態様１（偶数列：電源オフ、奇数列：電源オン）」に更新して、ステップＳ５０にすすむ。
【０１０５】
［ステップＳ４５］制御態様情報更新部６０９は、故障状況情報記憶部６０６を参照し、偶数列の表示素子４１ｂの故障数が、奇数行の表示素子４１ｂの故障数、および偶数行の表示素子４１ｂの故障数以下であるか否かを判定する。
【０１０６】
制御態様情報更新部６０９が、偶数列の表示素子４１ｂの故障数が、奇数行の表示素子４１ｂの故障数、および偶数行の表示素子４１ｂの故障数以下であると判定した場合にはステップＳ４６にすすむ。制御態様情報更新部６０９が、偶数列の表示素子４１ｂの故障数が、奇数行の表示素子４１ｂの故障数、および偶数行の表示素子４１ｂの故障数以下でないと判定した場合にはステップＳ４７にすすむ。
【０１０７】
［ステップＳ４６］制御態様情報更新部６０９は、制御態様情報記憶部６０８が記憶する制御態様情報の要求解像度「低」における、選択した表示領域４１の制御態様を「態様２（偶数列：電源オン、奇数列：電源オフ）」に更新して、ステップＳ５０にすすむ。
【０１０８】
［ステップＳ４７］制御態様情報更新部６０９は、故障状況情報記憶部６０６を参照し、奇数行の表示素子４１ｂの故障数が、偶数行の表示素子４１ｂの故障数以下であるか否かを判定する。
【０１０９】
制御態様情報更新部６０９が、奇数行の表示素子４１ｂの故障数が、偶数行の表示素子４１ｂの故障数以下であると判定した場合にはステップＳ４８にすすみ、奇数行の表示素子４１ｂの故障数が、偶数行の表示素子４１ｂの故障数以下でないと判定した場合にはステップＳ４９にすすむ。
【０１１０】
［ステップＳ４８］制御態様情報更新部６０９は、制御態様情報記憶部６０８が記憶する制御態様情報の要求解像度「低」における、選択した表示領域４１の制御態様を「態様４（偶数列：電源オン、奇数列：電源オン、偶数行黒表示）」に更新して、ステップＳ５０にすすむ。
【０１１１】
［ステップＳ４９］制御態様情報更新部６０９は、制御態様情報記憶部６０８が記憶する制御態様情報の要求解像度「低」における、選択した表示領域４１の制御態様を「態様５（偶数列：電源オン、奇数列：電源オン、奇数行黒表示）」に更新する。
【０１１２】
［ステップＳ５０］制御態様情報更新部６０９は、制御態様が未更新の表示領域４１が有るか否かを判定する。制御態様情報更新部６０９が、制御態様が未更新の表示領域４１が有ると判定した場合にはステップＳ４２にすすみ、制御態様が未更新の表示領域４１が無いと判定した場合には制御態様更新処理を終了する。
【０１１３】
これによれば、要求解像度が低い映像を各表示領域４１が表示する際の制御態様は、態様１（奇数列の表示素子４１ｂ）、態様２（偶数列の表示素子４１ｂ）、態様４（奇数行の表示素子４１ｂ）、または態様５（偶数行の表示素子４１ｂ）のうち最も表示素子４１ｂの故障が少ない態様に更新される。すなわち、公営競技表示システム３０は、要求解像度が低い映像を表示する際、欠落部分が少ない映像を表示盤４０に表示して、故障による表示品質の低下を抑止できる。
【０１１４】
なお、ステップＳ４０〜Ｓ５０を、ステップＳ１６〜Ｓ２２に置き換えてもよい。このように置き換えることで公営競技表示システム３０は、「横３２×縦８」で表示される表示領域（態様４または５）と、「横１６×縦１６」で表示される表示領域（態様１または２）が混在するのを抑止して、各表示領域４１において利用する表示素子４１ｂの縦横の比率を一定にできる。
【０１１５】
［応用例］
次に、表示素子の配置の応用例について説明する。図１１は、表示素子の配置の応用例を示す図である。
【０１１６】
図１１に示した表示領域１４１は、表示素子４１ｂが千鳥配列になるように、表示ユニット４１ａが偶数列と奇数列でずらして配置されている。このように表示素子４１ｂを千鳥状の配列にすることで、マトリクス状に表示素子４１ｂを配置した場合よりも表示領域４１における表示素子４１ｂの配置（分布）をより均一にすることができる。これにより全ての表示素子４１ｂを用いて表示する場合に、表示品質を向上させることができる。
【０１１７】
なお、上記の処理機能は、コンピュータによって実現することができる。その場合、映像制御装置２０、全体制御装置６０が有すべき機能の処理内容を記述したプログラムが提供される。そのプログラムをコンピュータで実行することにより、上記処理機能がコンピュータ上で実現される。処理内容を記述したプログラムは、コンピュータで読取り可能な記録媒体（可搬型記録媒体を含む）に記録しておくことができる。コンピュータで読取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ、ＤＶＤ−ＲＡＭ、ＣＤ−ＲＯＭ、ＣＤ−Ｒ／ＲＷなどがある。光磁気記録媒体には、ＭＯ（Magneto Optical disk）などがある。
【０１１８】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１１９】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読取り、プログラムにしたがった処理を実行する。なお、コンピュータは、可搬型記録媒体から直接プログラムを読取り、そのプログラムにしたがった処理を実行することもできる。また、コンピュータは、サーバコンピュータからプログラムが転送されるごとに、逐次、受取ったプログラムにしたがった処理を実行することもできる。
【０１２０】
なお、上述の実施の形態は、実施の形態の要旨を逸脱しない範囲内において種々の変更を加えることができる。
さらに、上述の実施の形態は、多数の変形、変更が当業者にとって可能であり、説明した正確な構成および応用例に限定されるものではない。
【符号の説明】
【０１２１】
１  表示システム
１０  表示装置
１１  表示部
１１ａ  第１の表示ユニット
１１ｂ  第２の表示ユニット
１１ｃ  表示素子
１２  表示制御部
２０  映像制御装置
２１  取得部
２２  決定部
２３  通知部
【図１】
2017062377.tif 000003
【図２】
2017062377.tif 000004
【図３】
2017062377.tif 000005
【図４】
2017062377.tif 000006
【図５】
2017062377.tif 000007
【図６】
2017062377.tif 000008
【図７】
2017062377.tif 000009
【図８】
2017062377.tif 000010
【図９】
2017062377.tif 000011
【図１０】
2017062377.tif 000012
【図１１】
2017062377.tif 000013